【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  遊技媒体を用いて所定の遊技を行うことが可能であり、所定の払出条件が成立したことにもとづいて遊技媒体を払い出し、表示状態が変化可能な可変表示部の表示結果があらかじめ定められた特定表示態様となったときに特定遊技状態に制御する遊技機であって、
遊技媒体の払い出しを行う払出手段と、
遊技の進行を制御し、前記所定の払出条件の成立にもとづいて払い出すべき遊技媒体数を特定可能な払出制御コマンドを出力する遊技制御用マイクロコンピュータと、
前記遊技制御用マイクロコンピュータから出力される払出制御コマンドにもとづいて前記払出手段に遊技媒体の払い出しを行わせるための制御を行う払出制御用マイクロコンピュータと、
前記払出手段により払い出された遊技媒体を検出する払出遊技媒体検出手段と、を備え、
前記遊技制御用マイクロコンピュータは、遊技機への電力供給が停止しても所定期間は記憶内容を保持することが可能であり、遊技の進行に応じて変動する変動データを記憶する遊技制御用変動データ記憶手段を有し、
前記払出制御用マイクロコンピュータは、
遊技機への電力供給が停止しても所定期間は記憶内容を保持することが可能であり、払い出すべき遊技媒体数のうち未だ払い出されていない未払出数を特定可能な未払出数データを記憶する払出制御用変動データ記憶手段と、
前記払出制御コマンドで特定される払い出すべき遊技媒体数のデータと、前記払出遊技媒体検出手段からの検出信号とにもとづいて、前記未払出数データを更新する未払出数データ更新手段と、を有し、
遊技機で用いられる所定の電源の状態を監視して、遊技機への電力の供給停止にかかわる検出条件が成立した場合に検出信号を出力する電源監視手段をさらに備え、
前記遊技制御用マイクロコンピュータおよび前記払出制御用マイクロコンピュータは、
前記電源監視手段からの検出信号に応じて制御状態を復旧させるために必要なデータを前記変動データ記憶手段に保存するための電力供給停止時処理を実行し、当該電力供給停止時処理が終了した後待機状態に移行する構成とされ、電力供給が復帰し所定の復旧条件が成立した場合に前記変動データ記憶手段に保存されていた記憶内容にもとづいて制御状態を電力供給が停止する前の状態に復旧させる復旧処理を実行し、
前記電源監視手段による前記検出信号が出力されたにもかかわらず、遊技機への電力供給が停止しない場合に、前記マイクロコンピュータの制御状態を当該待機状態から復帰させる前記復旧処理を実行する待機状態復帰手段を有し、
前記遊技制御用マイクロコンピュータは、
初期設定処理を行った後、所定の処理を繰り返し実行するメインルーチンと、前記メインルーチン実行中の所定時間毎に発生するタイマ割込に応じて前記メインルーチンを中断して起動される割込ルーチンとを実行し、
前記割込ルーチンにおいて、特定遊技状態とするか否かを決めるための特定遊技状態決定用数値を所定の範囲内で更新する特定遊技状態判定用数値更新処理と、所定の時期に前記特定遊技状態決定用数値の更新の初期値を前記遊技制御用変動データ記憶手段の所定アドレスに格納されている初期値用数値に変更する初期値変更処理と、前記所定アドレスに格納されている初期値用数値を更新する初期値用数値更新処理とを含む遊技制御処理を実行するとともに、
前記メインルーチンにおいても、前記所定の処理として前記所定アドレスに格納されている初期値用数値を更新する初期値用数値更新処理を実行し、
前記メインルーチンにおける初期値用数値更新処理を開始する前に前記タイマ割込による割込を禁止し、初期値用数値更新処理の完了後に前記タイマ割込による割込を許可する
ことを特徴とする遊技機。
【請求項２】  電源監視手段による検出信号が出力された後少なくとも所定の検出維持期間が経過するまでの期間において払出遊技媒体検出手段による遊技媒体の検出を可能な状態とするために当該払出遊技媒体検出手段に電力を供給可能な補助電力供給手段を備え、
払出制御用マイクロコンピュータは、電力供給停止時処理にて、前記補助電力供給手段から電力が供給される前記払出遊技媒体検出手段からの検出信号の入力処理を行う
請求項１記載の遊技機。
【請求項３】  払出制御用マイクロコンピュータは、電力供給停止時処理にて払出遊技媒体検出手段からの検出信号の入力処理の結果を示すデータを払出制御用変動データ記憶手段に保存し、復旧処理にて未払出数データ更新手段によって前記入力処理の結果を示すデータにもとづく未払出数データの更新を行う
請求項２記載の遊技機。
【請求項４】  払出制御用マイクロコンピュータは、電力供給停止時処理にて、払出遊技媒体検出手段からの検出信号の入力処理を実行した後、払出制御用変動データ記憶手段へのアクセスを禁止する処理を実行する
請求項２または請求項３記載の遊技機。
【請求項５】  払出制御用マイクロコンピュータからの信号を出力するための出力ポートを含み、
前記払出制御用マイクロコンピュータは、電力供給停止時処理にて、前記出力ポートの出力状態を初期化する出力ポートクリア処理を実行した後、払出遊技媒体検出手段からの検出信号の入力処理を行う
請求項２から請求項４のうちいずれかに記載の遊技機。
【請求項６】  遊技機への電力供給の開始に関連して、遊技制御用マイクロコンピュータが遊技に関わる制御が可能な状態になる時期を、払出制御用マイクロコンピュータが払出手段の制御が可能な状態になる時期よりも遅い時期となるように規制する起動順序規制手段を備えた
請求項１から請求項５のうちいずれかに記載の遊技機。
【請求項７】  遊技制御用マイクロコンピュータは、電力供給が開始されたときに払出手段による遊技媒体の払い出しが可能であることを指示するコマンドを送信し、
払出制御用マイクロコンピュータは、電力供給が開始されたときに遊技媒体の払い出しを禁止する払出禁止状態に制御し、前記遊技制御用マイクロコンピュータからの前記コマンドの受信に応じて払出禁止状態を解除する
請求項１から請求項６のうちのいずれかに記載の遊技機。
【請求項８】  所定の復旧条件は複数あり、マイクロコンピュータは、電力供給が復帰した場合には、前記複数の復旧条件がすべて成立した場合に、変動データ記憶手段に保存されていた記憶内容にもとづいて制御状態を復旧させる復旧処理を実行し、前記複数の復旧条件のうち少なくとも１つの条件が不成立であった場合に前記変動データ記憶手段の記憶内容を初期化する初期化処理を実行する
請求項１から請求項７のうちいずれかに記載の遊技機。
【請求項９】  所定の報知を行うための報知部品を制御可能な報知部品制御手段を備え、
前記報知部品制御手段は制御状態を初期化する処理が実行されていることを前記報知部品を用いて報知する処理を行う
請求項１から請求項８のうちいずれかに記載の遊技機。
【請求項１０】  電源監視手段は払出遊技媒体検出手段に供給される電源の電圧値よりも高い電圧値の電源を監視する
請求項１から請求項９のうちいずれかに記載の遊技機。
【請求項１１】  マイクロコンピュータの動作状態を監視し、所定期間動作が停止している場合に、制御状態を初期化するための動作状態監視手段を備え、
前記動作状態監視手段により、待機状態復帰手段が構成される
請求項１から請求項１０のうちいずれかに記載の遊技機。
【請求項１２】  待機状態復帰手段は、電源監視手段から検出信号が出力されてから、所定期間経過しても遊技機への電力供給が停止しない場合にマイクロコンピュータの制御状態を待機状態から復帰させる
請求項１から請求項１０のうちいずれかに記載の遊技機。
【手続補正２】
【補正対象書類名】明細書
【補正対象項目名】００１３
【補正方法】変更
【補正の内容】
【００１３】
【課題を解決するための手段】
本発明による遊技機は、遊技媒体を用いて所定の遊技を行うことが可能であり、所定の払出条件（例えば、遊技領域に設けられた入賞領域への入賞があったときに成立する条件、スロットマシンにおいて予め定められた所定の表示態様での表示が表示装置になされたときに成立する条件、カードユニット５０からの球貸し要求があっとときに成立する条件）が成立したことにもとづいて遊技媒体を払い出し、表示状態が変化可能な可変表示部の表示結果があらかじめ定められた特定表示態様となったときに特定遊技状態に制御する遊技機であって、遊技媒体の払い出しを行う払出手段（例えば、球払出装置９７、図６５に示す払出手段９７ａ）と、遊技の進行を制御し、所定の払出条件の成立にもとづいて払い出すべき遊技媒体数を特定可能な払出制御コマンドを出力する遊技制御用マイクロコンピュータ（例えば、ＣＰＵ５６を含む遊技制御手段）と、遊技制御用マイクロコンピュータから出力される払出制御コマンドにもとづいて払出手段に遊技媒体の払い出しを行わせるための制御を行う払出制御用マイクロコンピュータ（例えば、払出制御用ＣＰＵ３７１を含む払出制御手段、図６５に示す制御手段３７１ａ）と、払出手段により払い出された遊技媒体を検出する払出遊技媒体検出手段（例えば賞球カウントスイッチ３０１Ａ、貸し球カウントスイッチ３０１Ｂ、図６５に示す払出遊技媒体検出手段３０１）と、を備え、遊技制御用マイクロコンピュータは、遊技機への電力供給が停止しても所定期間は記憶内容を保持することが可能であり、遊技の進行に応じて変動する変動データを記憶する遊技制御用変動データ記憶手段（例えば主基板３１が備える電源バックアップされたＲＡＭ５５）を有し、払出制御用マイクロコンピュータは、遊技機への電力供給が停止しても所定期間は記憶内容を保持することが可能であり、払い出すべき遊技媒体数のうち未だ払い出されていない未払出数を特定可能な未払出数データ（例えば、総賞球数格納バッファの格納値、賞球未払出個数カウンタ、貸し球未払出個数カウンタ）を記憶する払出制御用変動データ記憶手段（例えば払出制御基板３７が備える電源バックアップされたＲＡＭ。図６５に示す変動データ記憶手段３７１ｃ）と、払出制御コマンドで特定される払い出すべき遊技媒体数のデータと、払出遊技媒体検出手段からの検出信号とにもとづいて、未払出数データを更新する未払出数データ更新手段（例えば、図６５に示す未払出数データ更新手段３９１）と、を有し、遊技機で用いられる所定の電源の状態を監視して、遊技機への電力の供給停止にかかわる検出条件（例えば監視電圧であるＶSL（＋３０Ｖ）の電圧値が＋２２Ｖまで低下したときに成立する条件）が成立した場合に検出信号（例えば電源断信号）を出力する電源監視手段（例えば電源監視用ＩＣ９０２、図６５に示す電源監視手段９００）をさらに備え、遊技制御用マイクロコンピュータおよび払出制御用マイクロコンピュータは、電源監視手段からの検出信号に応じて制御状態を復旧させるために必要なデータを変動データ記憶手段に保存するための電力供給停止時処理（例えば図５０〜図５２に示す処理、図２２〜図２４に示す処理、図６５に示すステップＳ３７０の電力供給停止時処理）を実行し���当該電力供給停止時処理が終了した後待機状態に移行する構成とされ、電力供給が復帰し所定の復旧条件（例えばステップＳ７０７〜ステップＳ７０９の条件、ステップＳ７〜ステップＳ９の条件）が成立した場合に変動データ記憶手段に保存されていた記憶内容にもとづいて制御状態を電力供給が停止する前の状態に復旧させる復旧処理（例えば図４９に示す処理、図２０に示す処理、図６５に示すステップＳ３７１の復旧処理）を実行し、電源監視手段による検出信号が出力されたにもかかわらず、遊技機への電力供給が停止しない場合に、マイクロコンピュータの制御状態を当該待機状態から復帰させる復旧処理を実行する待機状態復帰手段（例えば、復帰信号を出力可能な電源基板９１０に搭載されるカウンタ９７１、ウォッチドッグタイマのタイプアップにもとづきシステムリセットする機能を備えるＣＰＵ５６や払出制御用ＣＰＵ３７１、図６５に示す待機状態復帰手段３７１ｂ）を有し、遊技制御用マイクロコンピュータは、初期設定処理を行った後、所定の処理を繰り返し実行するメインルーチンと、メインルーチン実行中の所定時間毎に発生するタイマ割込に応じてメインルーチンを中断して起動される割込ルーチンとを実行し、割込ルーチンにおいて、特定遊技状態とするか否かを決めるための特定遊技状態決定用数値を所定の範囲内で更新する特定遊技状態判定用数値更新処理と、所定の時期に特定遊技状態決定用数値の更新の初期値を遊技制御用変動データ記憶手段の所定アドレスに格納されている初期値用数値に変更する初期値変更処理と、所定アドレスに格納されている初期値用数値を更新する初期値用数値更新処理とを含む遊技制御処理を実行するとともに、メインルーチンにおいても、所定の処理として所定アドレスに格納されている初期値用数値を更新する初期値用数値更新処理を実行し、メインルーチンにおける初期値用数値更新処理を開始する前にタイマ割込による割込を禁止し、初期値用数値更新処理の完了後にタイマ割込による割込を許可することを特徴とする。
【手続補正３】
【補正対象書類名】明細書
【補正対象項目名】００１４
【補正方法】変更
【補正の内容】
【００１４】
電源監視手段による検出信号が出力された後少なくとも所定の検出維持期間（例えば、ステップＳ４６６やステップＳ８１６で設定される期間）が経過するまでの期間において払出遊技媒体検出手段による遊技媒体の検出を可能な状態とするために当該払出遊技媒体検出手段に電力を供給可能な補助電力供給手段（例えばコンデンサ９２３を備えるコンバータＩＣ９２０）を備え、払出制御用マイクロコンピュータが、電力供給停止時処理にて、補助電力供給手段から電力が供給される払出遊技媒体検出手段からの検出信号の入力処理（例えば、図５１におけるステップＳ８１６〜ステップＳ８２６の処理、図５１におけるステップＳ８２７〜ステップＳ８３４の処理）を行うように構成されていてもよい。
【手続補正４】
【補正対象書類名】明細書
【補正対象項目名】００１５
【補正方法】変更
【補正の内容】
【００１５】
払出制御用マイクロコンピュータが、電力供給停止時処理にて払出遊技媒体検出手段からの検出信号の入力処理の結果を示すデータ（賞球カウントスイッチ３０１Ａや球貸しカウントスイッチ３０１Ｂがオンしたか否かを示すデータ）を払出制御用変動データ記憶手段に保存し、復旧処理にて未払出数データ更新手段によって入力処理の結果を示すデータにもとづく未払出数データの更新（電力供給停止時処理の実行中に賞球カウントスイッチ３０１Ａや球貸しカウントスイッチ３０１Ｂがオンしていたことが確認された場合に、該当する未払出数データが示す値を減算する処理）を行うように構成されていてもよい。
【手続補正５】
【補正対象書類名】明細書
【補正対象項目名】００１６
【補正方法】変更
【補正の内容】
【００１６】
払出制御用マイクロコンピュータが、電力供給停止時処理にて、払出遊技媒体検出手段からの検出信号の入力処理を実行した後、払出制御用変動データ記憶手段へのアクセスを禁止する処理（例えばステップＳ８４６）を実行するように構成されていてもよい。
【手続補正６】
【補正対象書類名】明細書
【補正対象項目名】００１７
【補正方法】変更
【補正の内容】
【００１７】
払出制御用マイクロコンピュータからの信号を出力するための出力ポート（例えば図４５に示す出力ポート）を含み、払出制御用マイクロコンピュータが、電力供給停止時処理にて、出力ポートの出力状態を初期化する出力ポートクリア処理（例えばステップＳ８０９〜ステップＳ８１５の処理）を実行した後、払出遊技媒体検出手段からの検出信号の入力処理を行うように構成されていてもよい。
【手続補正７】
【補正対象書類名】明細書
【補正対象項目名】００１８
【補正方法】変更
【補正の内容】
【００１８】
遊技機への電力供給の開始に関連して、遊技制御用マイクロコンピュータが遊技に関わる制御が可能な状態になる時期を、払出制御用マイクロコンピュータが払出手段の制御が可能な状態になる時期よりも遅い時期となるように規制する起動順序規制手段（例えば遅延回路９６０、リセットＩＣ６５１Ａ，６５１Ｂの外付けのコンデンサ）を備えた構成とされていてもよい。
【手続補正８】
【補正対象書類名】明細書
【補正対象項目名】００１９
【補正方法】変更
【補正の内容】
【００１９】
遊技制御用マイクロコンピュータは、電力供給が開始されたときに払出手段による遊技媒体の払い出しが可能であることを指示するコマンドを送信し、払出制御用マイクロコンピュータが、電力供給が開始されたときに遊技媒体の払い出しを禁止する払出禁止状態に制御し（例えばステップＳ７１３やステップＳ７３２の処理を行うことで払出禁止状態に制御する）、遊技制御用マイクロコンピュータからのコマンド（例えば払出可能状態指定コマンド、払出個数指定コマンド）の受信に応じて払出禁止状態を解除する（例えばステップＳ７５３ｅにて払出停止中フラグをオフすることで解除する）ように構成されていてもよい。
【手続補正９】
【補正対象書類名】明細書
【補正対象項目名】００２０
【補正方法】変更
【補正の内容】
【００２０】
所定の復旧条件は複数（例えば、ステップＳ７０７〜ステップＳ７０９の条件、ステップＳ７〜ステップＳ９の条件）あり、マイクロコンピュータは、電力供給が復帰した場合には、複数の復旧条件がすべて成立した場合に、変動データ記憶手段に保存されていた記憶内容にもとづいて制御状態を復旧させる復旧処理を実行し、複数の復旧条件のうち少なくとも１つの条件が不成立であった場合に変動データ記憶手段の記憶内容を初期化する初期化処理（例えばステップＳ７１１〜ステップＳ７１４、ステップＳ１１〜ステップＳ１５）を実行するように構成されていてもよい。
【手続補正１０】
【補正対象書類名】明細書
【補正対象項目名】００２３
【補正方法】変更
【補正の内容】
【００２３】
マイクロコンピュータの動作状態を監視し、所定期間動作が停止している場合に、制御状態を初期化するための動作状態監視手段（例えば、ウォッチドッグタイマのタイプアップにもとづきシステムリセットする機能を備えるＣＰＵ５６や払出制御用ＣＰＵ３７１）を備え、動作状態監視手段により、待機状態復帰手段が構成されていてもよい。
【手続補正１１】
【補正対象書類名】明細書
【補正対象項目名】００２４
【補正方法】変更
【補正の内容】
【００２４】
待機状態復帰手段が、電源監視手段から検出信号が出力されてから、所定期間経過しても遊技機への電力供給が停止しない場合にマイクロコンピュータの制御状態を待機状態から復帰させる（例えば図１４（Ｂ）参照）ように構成されていてもよい。
【手続補正１２】
【補正対象書類名】明細書
【補正対象項目名】０５５９
【補正方法】変更
【補正の内容】
【０５５９】
【発明の効果】
以上のように、請求項１記載の発明によれば、遊技制御用マイクロコンピュータが、遊技機への電力供給が停止しても所定期間は記憶内容を保持することが可能であり、遊技の進行に応じて変動する変動データを記憶する遊技制御用変動データ記憶手段を有し、払出制御用マイクロコンピュータが、遊技機への電力供給が停止しても所定期間は記憶内容を保持することが可能であり、払い出すべき遊技媒体数のうち未だ払い出されていない未払出数を特定可能な未払出数データを記憶する払出制御用変動データ記憶手段と、払出制御コマンドで特定される払い出すべき遊技媒体数のデータと、払出遊技媒体検出手段からの検出信号とにもとづいて、未払出数データを更新する未払出数データ更新手段と、を有し、電源監視手段をさらに備え、遊技制御用マイクロコンピュータおよび払出制御用マイクロコンピュータは、電力供給停止時処理を実行し、当該電力供給停止時処理が終了した後待機状態に移行する構成とされ、電力供給が復帰し所定の復旧条件が成立した場合に復旧処理を実行し、電源監視手段による検出信号が出力されたにもかかわらず、遊技機への電力供給が停止しない場合に、マイクロコンピュータの制御状態を当該待機状態から復帰させる復旧処理を実行する待機状態復帰手段を有することを特徴とするので、待機状態復帰手段によってマイクロコンピュータを制御実行状態に復帰させることが可能になり、その結果、ごく短時間で復旧する電源の瞬断等が生じても未払出数データが失われてしまうことを防止することができ、制御に支障を来すことがないという効果を得ることができる。
【手続補正１３】
【補正対象書類名】明細書
【補正対象項目名】０５６０
【補正方法】変更
【補正の内容】
【０５６０】
請求項２記載の発明では、払出制御用マイクロコンピュータが、電力供給停止時処理にて、補助電力供給手段から電力が供給される払出遊技媒体検出手段からの検出信号の入力処理を行うように構成されているので、電力供給停止時処理にて、払い出された遊技媒体を確実に検出することが可能となる。
【手続補正１４】
【補正対象書類名】明細書
【補正対象項目名】０５６１
【補正方法】変更
【補正の内容】
【０５６１】
請求項３記載の発明では、払出制御用マイクロコンピュータが、電力供給停止時処理にて払出遊技媒体検出手段からの検出信号の入力処理の結果を示すデータを払出制御用変動データ記憶手段に保存し、復旧処理にて未払出数データ更新手段によって入力処理の結果を示すデータにもとづく未払出数データの更新を行うように構成されているので、電力供給停止時処理での入力処理を迅速に行うことができる。
【手続補正１５】
【補正対象書類名】明細書
【補正対象項目名】０５６２
【補正方法】変更
【補正の内容】
【０５６２】
請求項４記載の発明では、払出制御用マイクロコンピュータが、電力供給停止時処理にて、払出遊技媒体検出手段からの検出信号の入力処理を実行した後、払出制御用変動データ記憶手段へのアクセスを禁止する処理を実行するように構成されているので、電力供給停止時処理後に払出制御用変動データ記憶手段の内容が破壊されること等を防止することができる。
【手続補正１６】
【補正対象書類名】明細書
【補正対象項目名】０５６３
【補正方法】変更
【補正の内容】
【０５６３】
請求項５記載の発明では、払出制御用マイクロコンピュータからの信号を出力するための出力ポートを含み、払出制御用マイクロコンピュータが、電力供給停止時処理にて、出力ポートの出力状態を初期化する出力ポートクリア処理を実行した後、払出遊技媒体検出手段からの検出信号の入力処理を行うように構成されているので、払出遊技媒体検出手段からの検出信号の入力処理に関連しない電気部品により電力が消費されてしまうことを回避することができる。
【手続補正１７】
【補正対象書類名】明細書
【補正対象項目名】０５６４
【補正方法】変更
【補正の内容】
【０５６４】
請求項６記載の発明では、遊技機への電力供給の開始に関連して、遊技制御用マイクロコンピュータが遊技に関わる制御が可能な状態になる時期を、払出制御用マイクロコンピュータが払出手段の制御が可能な状態になる時期よりも遅い時期となるように規制する起動順序規制手段を備えたので、遊技機への電力供給の開始に関連して、払出制御用マイクロコンピュータが遊技制御用マイクロコンピュータからのコマンドを確実に受信することができるようになる。
【手続補正１８】
【補正対象書類名】明細書
【補正対象項目名】０５６５
【補正方法】変更
【補正の内容】
【０５６５】
請求項７記載の発明では、遊技制御用マイクロコンピュータは、電力供給が開始されたときに払出手段による遊技媒体の払い出しが可能であることを指示するコマンドを送信し、払出制御用マイクロコンピュータが、電力供給が開始されたときに遊技媒体の払い出しを禁止する払出禁止状態に制御し、遊技制御用マイクロコンピュータからのコマンドの受信に応じて払出禁止状態を解除するように構成されているので、遊技制御用マイクロコンピュータが制御を開始したことが確定したあとに払出禁止状態を解除することができ、遊技制御用マイクロコンピュータが制御が可能な状態となるより先に払出制御用マイクロコンピュータが払出処理を開始してしまうことを確実に防止することができる。
【手続補正１９】
【補正対象書類名】明細書
【補正対象項目名】０５６６
【補正方法】変更
【補正の内容】
【０５６６】
請求項８記載の発明では、所定の復旧条件は複数あり、マイクロコンピュータが、電力供給が復帰した場合には、複数の復旧条件がすべて成立した場合に、変動データ記憶手段に保存されていた記憶内容にもとづいて制御状態を復旧させる復旧処理を実行し、複数の復旧条件のうち少なくとも１つの条件が不成立であった場合に変動データ記憶手段の記憶内容を初期化する初期化処理を実行するように構成されているので、不確実な状態から制御状態が復旧してしまうことを防止することができる。
【手続補正２０】
【補正対象書類名】明細書
【補正対象項目名】０５６９
【補正方法】変更
【補正の内容】
【０５６９】
請求項１１記載の発明では、マイクロコンピュータの動作状態を監視し、所定期間動作が停止している場合に、制御状態を初期化するための動作状態監視手段を備え、動作状態監視手段により、待機状態復帰手段が構成されているので、待機状態から確実に復帰することができる。
【手続補正２１】
【補正対象書類名】明細書
【補正対象項目名】０５７０
【補正方法】変更
【補正の内容】
【０５７０】
請求項１２記載の発明では、待機状態復帰手段が、電源監視手段から検出信号が出力されてから、所定期間経過しても遊技機への電力供給が停止しない場合にマイクロコンピュータの制御状態を待機状態から復帰させるように構成されているので、待機状態から確実に復帰することができる。